(57)【要約】【課題】各電流生成用トランジスタの閾値電圧のばらつきを抑えることで所定のアナログ電流を精度良く供給することができる電子回路、電気光学装置及び電子機器を提供する。【解決手段】第１〜６電流供給用トランジスタ３３ａ〜３３ｆの各閾値電圧を補償する補償回路部４０の昇圧用トランジスタＴｃを配置形成した。そして、補償回路部４０の昇圧用トランジスタＴｃのソースをデジタル・アナログ変換部３０の入力ポートＰｉに接続した。又、昇圧用トランジスタＴｃのドレインを第１〜６電流供給用トランジスタ３３ａ〜３３ｆの各ゲートに接続した。そして、前記入力ポートＰｉに電源供給部から供給された基準電圧Ｖｒｅｆを補償回路部４０にて第１〜６電流供給用トランジスタ３３ａ〜３３ｆの閾値電圧分昇圧して第１〜６電流供給用トランジスタ３３ａ〜３３ｆの各ゲートに供給するようにした。【選択図】　　　図３
2004088158.tif 000002
【特許請求の範囲】
【請求項１】
基準電圧の値を変圧回路により変化させて複数の電流生成用能動素子の制御用端子に供給し、前記複数の電流生成用能動素子の導通状態を設定し、
信号に基づいて前記複数の電流生成用能動素子を選択し、前記複数の電流生成用能動素子のうち前記信号により選択された電流生成用能動素子を通過する電流を重ね合わせることにより前記信号に応じた電流レベルを有する電流を生成することを特徴とする電子回路。
【請求項２】
複数の電流生成用能動素子と、
前記複数の電流生成用能動素子の制御用端子に印加する印加用電圧を、基準電圧を変化させることにより生成する変圧回路と、
前記複数の電流生成用能動素子の各々に直列に接続された選択用トランジスタと、を含み、
信号に基づいて前記選択用トランジスタのうちオン状態が選択された選択用トランジスタと、
前記複数の電流生成用能動素子のうち前記選択された選択用トランジスタと直列に接続された電流生成用能動素子と、を通過する電流を重ね合わせることにより前記信号に応じた電流レベルを有する電流を生成することを特徴とする電子回路。
【請求項３】
請求項１又は２に記載の電子回路において、
前記変圧回路は前記基準電圧の値から所定の値分を減ずる機能または前記基準電圧の値に所定の値分を付加する機能を有する補償用トランジスタを含むことを特徴とする電子回路。
【請求項４】
請求項１乃至３の何れか１つに記載の電子回路において、
前記複数の電流生成用能動素子の各々は、少なくとも１つのトランジスタを含むことを特徴とする電子回路。
【請求項５】
請求項１乃至４の何れか１つに記載の電子回路において、
前記複数の電流生成用能動素子の各々は互いに並列接続されていることを特徴とする電子回路。
【請求項６】
請求項１乃至５の何れか１つに記載の電子回路において、
前記複数の電流生成用能動素子の各々は一つの電流生成用トランジスタから成り、前記電流生成用トランジスタは互いに利得係数が異なっていることを特徴とする電子回路。
【請求項７】
請求項１乃至４の何れか１つに記載の電子回路において、
前記複数の電流生成用能動素子の少なくとも一つの電流生成用能動素子は単位トランジスタの直列接続を含むものであることを特徴とする電子回路。
【請求項８】
請求項７に記載の電子回路において、
前記補償用トランジスタは前記単位トランジスタと略同一の特性を有するトランジスタであることを特徴とする電子回路。
【請求項９】
請求項６乃至８の何れか１つに記載の電子回路において、
前記電流生成用トランジスタ及び前記補償用トランジスタは、それぞれ隣接位置に形成し、それぞれの閾値電圧がほぼ等しくなるようにしたことを特徴とする電子回路。
【請求項１０】
請求項１乃至９の何れか１つに記載の電子回路において、
前記変圧回路が、前記補償用トランジスタをオンさせるための初期化手段を有することを特徴とする電子回路。
【請求項１１】
請求項１乃至１０の何れか１つに記載の電子回路において、
前記変圧回路が、電圧安定化手段を有することを特徴とする電子回路。
【請求項１２】
請求項１１に記載の電子回路において、
前記電圧安定化手段はコンデンサを含むことを特徴とする電子回路。
【請求項１３】
デジタル輝度階調データを出力する制御回路と、
前記デジタル輝度階調データに基づいてアナログ駆動信号を生成する駆動回路と、
前記アナログ駆動信号に基づいて電気光学素子を駆動させる画素回路と
を備えた電気光学装置において、
前記駆動回路は、
基準電圧の値を変換回路により変化させて複数の電流生成用能動素子の制御用端子に供給し、前記複数の電流生成用能動素子の導通状態を設定し、
前記デジタル輝度階調データに基づいて前記複数の電流生成用能動素子を選択し、前記複数の電流生成用能動素子のうち前記デジタル輝度階調データにより選択された電流生成用能動素子を通過する電流を重ね合わせることにより前記デジタル輝度階調データに応じた電流レベルを有するアナログ駆動信号を生成することを特徴とする電気光学装置。
【請求項１４】
デジタル輝度階調データを出力する制御回路と、
前記デジタル輝度階調データに基づいてアナログ駆動信号を生成する駆動回路と、
前記アナログ駆動信号に基づいて電流駆動素子を駆動させる画素回路と
を備えた電気光学装置において、
前記駆動回路は、
複数の電流生成用能動素子と、
前記複数の電流生成用能動素子の制御用端子に印加する印加用電圧を、基準電圧を変化させることにより生成する変圧回路と、
前記複数の電流生成用能動素子の各々に直列に接続された選択用トランジスタと、を含み、
前記選択用トランジスタのうちオン状態が選択された選択用トランジスタと、
前記複数の電流生成用能動素子のうち前記選択された選択用トランジスタと直列に接続された電流生成用能動素子と、を通過する電流を重ね合わせることにより前記デジタル輝度階調データに応じた電流レベルを有する電流を生成することを特徴とする電気光学装置。
【請求項１５】
請求項１３又は１４に記載の電気光学装置において、
前記変圧回路は前記基準電圧の値から所定の値分を減ずる機能または前記基準電圧の値に所定の値分を付加する機能を有する補償用トランジスタを含むことを特徴とする電気光学装置。
【請求項１６】
請求項１３乃至１５の何れか１つに記載の電気光学装置において、
前記複数の電流生成用能動素子の各々は、少なくとも１つのトランジスタを含むことを特徴とする電気光学装置。
【請求項１７】
請求項１３乃至１６の何れか１つに記載の電気光学装置において、
前記複数の電流生成用能動素子の各々は互いに並列接続されていることを特徴とする電気光学装置。
【請求項１８】
請求項１３乃至１７の何れか１つに記載の電気光学装置において、
前記複数の電流生成用能動素子の各々は一つの電流生成用トランジスタから成り、前記電流生成用トランジスタは互いに利得係数が異なっていることを特徴とする電気光学装置。
【請求項１９】
請求項１３乃至１８の何れか１つに記載の電気光学装置において、
前記複数の電流生成用能動素子の少なくとも一つの電流生成用能動素子は単位トランジスタの直列接続を含むものであることを特徴とする電気光学装置。
【請求項２０】
請求項１９に記載の電気光学装置において、
前記補償用トランジスタは前記単位トランジスタと略同一の特性を有するトランジスタであることを特徴とする電気光学装置。
【請求項２１】
請求項１８乃至２０の何れか１つに記載の電気光学装置において、
前記電流生成用トランジスタ及び前記補償用トランジスタは、それぞれ隣接位置に形成し、それぞれの閾値電圧がほぼ等しくなるようにしたことを特徴とする電気光学装置。
【請求項２２】
請求項１３乃至２１の何れか１つに記載の電気光学装置において、
前記変圧回路が、前記補償用トランジスタをオンさせるための初期化手段を有することを特徴とする電気光学装置。
【請求項２３】
請求項１３乃至２２の何れか１つに記載の電気光学装置において、
前記変圧回路が、電圧安定化手段を有することを特徴とする電気光学装置。
【請求項２４】
請求項２３に記載の電気光学装置において、
前記電圧安定化手段はコンデンサを含むことを特徴とする電気光学装置。
【請求項２５】
請求項１３乃至２４の何れか１つに記載の電気光学装置において、
前記電気光学素子は、ＥＬ素子であることを特徴とする電気光学装置。
【請求項２６】
請求項２５に記載の電気光学装置において、
前記ＥＬ素子は、その発光層が有機材料で構成されていることを特徴とする電気光学装置。
【請求項２７】
請求項１〜１２に記載の電子回路が実装されてなる電子機器。
【請求項２８】
請求項１３〜２６に記載の電気光学装置が実装されてなる電子機器。
【発明の詳細な説明】
【０００１】
【発明の属する技術分野】
本発明は、電子回路、電気光学装置及び電子機器に関するものである。
【０００２】
【従来の技術】
近年、有機ＥＬ素子といった電流駆動素子を用いた電気光学装置が注目されている。この種の有機ＥＬ素子を用いた電気光学装置の駆動方式の一つにアクティブマトリクス駆動方式がある。
【０００３】
アクティブマトリクス駆動方式の電気光学装置は、有機ＥＬ素子を有する複数の画素回路がマトリクス状に配置された表示パネル部を有する。画素回路は、該画素回路に供給される信号に応じて有機ＥＬ素子の発光輝度の階調を制御する。
【０００４】
詳述すると、アクティブマトリクス駆動方式の電気光学装置においては、前記表示パネル部にデータ線が配設されている。データ線は各画素回路と接続されている。各画素回路はデータ線を介してデータ線駆動回路と接続されている。データ線駆動回路は、表示パネル部に表示を実行させるための画像データを出力するコントローラと接続されている。
【０００５】
データ線駆動回路は、前記コントローラから出力された画像データに対応した駆動信号を生成する。そして、データ線駆動回路にて生成された駆動信号は前記データ線を介して各画素回路に供給される。画素回路は、前記駆動信号の電流値に対応した電流を生成し、その生成した電流を有機ＥＬ素子に供給することで有機ＥＬ素子の発光輝度の階調を制御するようになっている。
【０００６】
このように構成されたアクティブマトリクス駆動方式の電気光学装置におけるデータ線駆動回路には、前記コントローラから出力されるデジタル信号である画像データをアナログ電流である駆動信号に変換するデジタル・アナログ変換回路が備えられている。図１６は、アクティブマトリクス駆動方式の画素回路を有した電気光学装置のデータ線駆動回路の概略構成図である。データ線駆動回路７０は、複数の単一ラインドライバ７１と、各単一ラインドライバ７１に基準電圧Ｖｒｅｆを供給する電圧供給部７２とを備えている。単一ラインドライバ７１は、データ線７４を介して画素回路（図示略）に接続されている。又、各単一ラインドライバ７１は、画像データを出力するコントローラ（図示略）と接続されている。
【０００７】
電圧供給部７２は、各単一ラインドライバ７１に対してそれぞれ電圧供給線Ｑを介して各単一ラインドライバ７１の電圧供給端子７５とそれぞれ接続されている。尚、各電圧供給端子７５に供給される基準電圧Ｖｒｅｆはほぼ等しい電圧値を有する直流電圧である。
【０００８】
図１７は、各単一ラインドライバ７１に設けられたデジタル・アナログ変換回路７３の回路図である。デジタル・アナログ変換回路７３は、６ビットの画像データに対応したアナログ電流を生成する電流出力型デジタル・アナログ変換回路である。デジタル・アナログ変換回路７３は、アナログ出力信号線７６ａ〜７６ｆ、スイッチングトランジスタ７７ａ〜７７ｆ、電流供給用トランジスタ７８ａ〜７８ｆ、及びデジタル入力信号線７９ａ〜７９ｆを備えている。
【０００９】
アナログ出力信号線７６ａ〜７６ｆは、互いに並列に接続され、出力端子８１に接続されている。アナログ出力信号線７６ａ〜７６ｆは、それぞれ、スイッチングトランジスタ７７ａ〜７７ｆに接続されている。又、スイッチングトランジスタ７７ａ〜７７ｆは、それぞれ、電流供給用トランジスタ７８ａ〜７８ｆに接続されている。
【００１０】
スイッチングトランジスタ７７ａ〜７７ｆの各ゲートは、デジタル入力信号線７９ａ〜７９ｆと接続され、該デジタル入力信号線７９ａ〜７９ｆは６ビットの画像データを出力するコントローラ（図示略）と接続されている。
【００１１】
電流供給用トランジスタ７８ａ〜７８ｆは、その各ゲートが前記電圧供給端子７５に接続された電圧供給線８０と共有して接続されている。電流供給用トランジスタ７８ａ〜７８ｆは、それぞれ所定の電流を出力する定電流源として機能するトランジスタである。電流供給用トランジスタ７８ａ〜７８ｆは、順次、その利得係数βの相対比が１：２：４：８：１６：３２となるように設定されている。そして、電流供給用トランジスタ７８ａ〜７８ｆの閾値電圧がほぼ等しくＶｔｈであり、また、それぞれのトランジスタが飽和領域で動作するときに電流ＩｏはＩｏ＝（１／２）β（Ｖｒｅｆ−Ｖｔｈ）２となる。ここで、βはトランジスタの利得係数であり、β＝（μＣＷ／Ｌ）で定義される。μはキャリアの移動度、Ｃはゲート容量、Ｗはチャネル幅、Ｌはチャネル長である。また、Ｖｒｅｆは前記電圧供給端子７５に供給される基準電圧である。各電流供給用トランジスタ７８ａ〜７８ｆの閾値電圧Ｖｔｈは、例えば、その電流供給用トランジスタ７８ａ〜７８ｆを隣接位置に配置形成することによって、トランジスタ７８ａ〜７８ｆの閾値電圧間の無視できる程度まで押さえ込むことが可能である。この場合、各トランジスタ７８ａ〜７８ｆを流れる電流Ｉｏは利得係数βに比例した値の電流が流れることとなる。つまり、電流供給用トランジスタ７８ａ〜７８ｆから出力される電流の相対比はそれぞれ１：２：４：８：１６：３２となる。
【００１２】
電流供給用トランジスタ７８ａ〜７８ｆのオン・オフ制御は、前記コントローラから出力される６ビットの画像データに基づいて行われる。６ビットの画像データの最下位ビットは、利得係数βが最も小さな（即ちβの相対値が１の）第１の電流供給用トランジスタ７７ａに供給され、最上位ビットは、利得係数βが最も大きな（即ちβの相対値が３２の）第６の電流供給用トランジスタ７７ｆに供給される。
【００１３】
そして、コントローラから出力される画像データに対応してスイッチングトランジスタ７７ａ〜７７ｆが適宜選択されてオン・オフ制御される。その結果、出力端子８１には電流供給用トランジスタ７８ａ〜７８ｆから出力される各電流が合成されたアナログ出力電流Ｉｍが駆動信号として出力される。そして、画素回路は前記出力端子８１と接続したデータ線７４を介してデータ線駆動回路７０にて生成された駆動信号のアナログ出力電流Ｉｍに応じて有機ＥＬ素子の発光輝度の階調を制御するようになっている。
【００１４】
【発明が解決しようとする課題】
しかしながら、デジタル・アナログ変換回路７３は、単一ラインドライバ７１毎にその形成位置が異なるために、特に、形成位置が大きく離れた単一ラインドライバ間においては、それぞれに含まれる電流供給用トランジスタ７８ａ〜７８ｆの閾値電圧Ｖｔｈが製造誤差のために大きく異なってしまうことがある。つまり、単一ラインドライバ７１毎に閾値電圧Ｖｔｈのばらつきが発生することになる。一方、各単一ラインドライバ７１の電圧供給端子７５に供給される基準電圧７５は、前記したように、単一ラインドライバ７１の形成位置に関係なくほぼ等しい値である。従って、各単一ラインドライバ７１から出力される駆動信号のアナログ出力電流Ｉｍは、同一の画像データに基づいたものであっても、単一ラインドライバ７１毎に異なる。その結果、画素回路毎にその有機ＥＬ素子の輝度階調の特性が変化してしまうため、電気光学装置の表示品位が良くないものとなる。
【００１５】
本発明は上記問題点を解消するためになされたものであって、その目的は、各電流生成用トランジスタの閾値電圧のばらつきを抑えることで所定のアナログ電流を精度良く供給することができる電子回路、電気光学装置及び電子機器を提供することにある。
【００１６】
【課題を解決するための手段】
本発明における電子回路は、基準電圧の値を変圧回路により変化させて複数の電流生成用能動素子の制御用端子に供給し、前記複数の電流生成用能動素子の導通状態を設定し、信号に基づいて前記複数の電流生成用能動素子を選択し、前記複数の電流生成用能動素子のうち前記信号により選択された電流生成用能動素子を通過する電流を重ね合わせることにより前記信号に応じた電流レベルを有する電流を生成する。
【００１７】
これによれば、電流生成用能動素子から出力される電流を信号に応じて精度良く制御することができる。
本発明における電子回路は、複数の電流生成用能動素子と、前記複数の電流生成用能動素子の制御用端子に印加する印加用電圧を、基準電圧を変化させることにより生成する変圧回路と、前記複数の電流生成用能動素子の各々に直列に接続された選択用トランジスタと、を含み、前記選択用トランジスタのうちオン状態が選択された選択用トランジスタと、前記複数の電流生成用能動素子のうち前記選択された選択用トランジスタと直列に接続された電流生成用能動素子と、を通過する電流を重ね合わせることにより前記信号に応じた電流レベルを有する電流を生成する。
【００１８】
これによれば、電流生成用能動素子から出力される電流を信号に応じて精度良く制御することができる。
この電子回路において、前記変圧回路は前記基準電圧の値から所定の値分を減ずる機能または前記基準電圧の値に所定の値分を付加する機能を有する補償用トランジスタを含む。
【００１９】
これによれば、電流生成用能動素子に印加する印加用電圧を制御することができる。
この電子回路において、前記複数の電流生成用能動素子の各々は、少なくとも１つのトランジスタを含む。
【００２０】
これによれば、電流生成用能動素子の閾値電圧を補償することで、信号に応じた電流を精度良く出力することができる電子回路を容易に構成することができる。
【００２１】
この電子回路において、前記複数の電流生成用能動素子の各々は互いに並列接続されている。
これによれば、利得係数が異なる電流生成用能動素子を容易に形成することができる。
【００２２】
この電子回路において、前記複数の電流生成用能動素子の各々は一つの電流生成用トランジスタから成り、前記電流生成用トランジスタは互いに利得係数が異なっている。
【００２３】
これによれば、電流生成用能動素子の素子数を削減することができる。
この電子回路において、前記複数の電流生成用能動素子の少なくとも一つの電流生成用能動素子は単位トランジスタの直列接続を含む。
【００２４】
これによれば、利得係数が異なる電流生成用能動素子を容易に形成することができる。
この電子回路において、前記補償用トランジスタは前記単位トランジスタと略同一の特性を有するトランジスタである。
【００２５】
これによれば、単位トランジスタの閾値電圧を補償することができる。
この電子回路において、前記定電流生成用トランジスタ及び前記補償用トランジスタは、それぞれ隣接位置に形成し、それぞれの閾値電圧がほぼ等しくなるようにした。
【００２６】
これによれば、単位トランジスタの閾値電圧を補償することができる。
この電子回路において、前記変圧回路が、前記補償用トランジスタをオンさせるための初期化手段を有する。
【００２７】
これによれば、変圧回路を適宜制御することができる。
この電子回路において、前記変圧回路が、電圧安定化手段を有する。
これによれば、各定電流生成用トランジスタの閾値電圧分の電圧を安定して前記定電流生成用トランジスタに供給することができるため、定電流生成用トランジスタを精度良く制御することができる。
【００２８】
この電子回路において、前記電圧安定化手段はコンデンサを含む。
これによれば、前記電圧安定化手段を容易に構成することができる。
本発明の電気光学装置は、デジタル輝度階調データを出力する制御回路と、前記デジタル輝度階調データに基づいてアナログ駆動信号を生成する駆動回路と、前記アナログ駆動信号に基づいて電気光学素子を駆動させる画素回路とを備えた電気光学装置において、前記駆動回路は、基準電圧の値を変換回路により変化させて複数の電流生成用能動素子の制御用端子に供給し、前記複数の電流生成用能動素子の導通状態を設定し、前記デジタル輝度階調データに基づいて前記複数の電流生成用能動素子を選択し、前記複数の電流生成用能動素子のうち前記デジタル輝度階調データにより選択された電流生成用能動素子を通過する電流を重ね合わせることにより前記デジタル輝度階調データに応じた電流レベルを有するアナログ駆動信号を生成する。
【００２９】
これによれば、電流生成用能動素子から出力される電流をデジタル輝度階調データに応じて精度良く制御することができる。
本発明の電気光学装置は、デジタル輝度階調データを出力する制御回路と、前記デジタル輝度階調データに基づいてアナログ駆動信号を生成する駆動回路と、前記アナログ駆動信号に基づいて電流駆動素子を駆動させる画素回路とを備えた電気光学装置において、前記駆動回路は、複数の電流生成用能動素子と、前記複数の電流生成用能動素子の制御用端子に印加する印加用電圧を、基準電圧を変化させることにより生成する変圧回路と、前記複数の電流生成用能動素子の各々に直列に接続された選択用トランジスタと、を含み、前記選択用トランジスタのうちオン状態が選択された選択用トランジスタと、前記複数の電流生成用能動素子のうち前記選択された選択用トランジスタと直列に接続された電流生成用能動素子と、を通過する電流を重ね合わせることにより前記信号に応じた電流レベルを有する電流を生成する。
【００３０】
これによれば、電流生成用能動素子から出力される電流をデジタル輝度階調データに応じて精度良く制御することができる。
この電気光学装置において、前記変圧回路は前記基準電圧の値から所定の値分を減ずる機能または前記基準電圧の値に所定の値分を付加する機能を有する補償用トランジスタを含む。
【００３１】
これによれば、電流生成用能動素子に印加する印加用電圧を制御することができる。
この電気光学装置において、前記複数の電流生成用能動素子の各々は、少なくとも１つのトランジスタを含む。
【００３２】
これによれば、利得係数が異なる電流生成用能動素子を容易に形成することができる。
この電気光学装置において、前記複数の電流生成用能動素子の各々は互いに並列接続されている。
【００３３】
これによれば、利得係数が異なる電流生成用能動素子を容易に形成することができる。
この電気光学装置において、前記複数の電流生成用能動素子の各々は一つの電流生成用トランジスタから成り、前記電流生成用トランジスタは互いに利得係数が異なっている。
【００３４】
これによれば、電流生成用能動素子の素子数を削減することができる。
この電気光学装置において、前記複数の電流生成用能動素子の少なくとも一つの電流生成用能動素子は単位トランジスタの直列接続を含む。
【００３５】
これによれば、利得係数が異なる電流生成用能動素子を容易に形成することができる。
この電気光学装置において、前記補償用トランジスタは前記単位トランジスタと略同一の特性を有するトランジスタである。
【００３６】
これによれば、単位トランジスタの閾値電圧を補償することができる。
この電気光学装置において、前記定電流生成用トランジスタ及び前記補償用トランジスタは、それぞれ隣接位置に形成し、それぞれの閾値電圧がほぼ等しくなるようにした。
【００３７】
これによれば、単位トランジスタの閾値電圧を補償することができる。
この電気光学装置において、前記変圧回路が、前記補償用トランジスタをオンさせるための初期化手段を有する。
【００３８】
これによれば、変圧回路を適宜制御することができる。
この電気光学装置において、前記変圧回路が、電圧安定化手段を有する。
これによれば、各定電流生成用トランジスタの閾値電圧分の電圧を安定して前記定電流生成用トランジスタに供給することができるため、定電流生成用トランジスタを精度良く制御することができる。
【００３９】
この電気光学装置において、前記電圧安定化手段はコンデンサを含む。
これによれば、前記電圧安定化手段を容易に構成することができる。
この電気光学装置において、前記電気光学素子は、ＥＬ素子である。
【００４０】
これによれば、デジタル輝度階調データに応じてＥＬ素子の輝度を精度良く制御することができる。
この電気光学装置において、前記ＥＬ素子は、その発光層が有機材料で構成されている。
【００４１】
これによれば、デジタル輝度階調データに応じて有機ＥＬ素子の輝度を精度良く制御することができる。
本発明の電子機器は請求項１〜１２に記載の電子回路が実装されている。
【００４２】
これによれば、輝度階調が優れた表示ユニットを有した電子機器を提供することができる。
本発明の電子機器は、請求項１３〜２６に記載の電気光学装置が実装されている。
【００４３】
これによれば、表示品位が優れた表示ユニットを有した電子機器を提供することができる。
【００４４】
【発明の実施の形態】
（第１実施形態）
以下、本発明を具体化した第１実施形態を図１〜３に従って説明する。図１は、電気光学装置としての有機ＥＬディスプレイ１０の回路構成を示すブロック回路図である。図２は、表示パネル部及びデータ線駆動回路の内部回路構成を示すブロック回路図である。図３は、単一ラインドライバの内部回路構成を示す回路図である。
【００４５】
有機ＥＬディスプレイ１０は、制御回路としてのコントローラ１１、表示パネル部１２、走査線駆動回路１３及びデータ線駆動回路１４を備えている。尚、本実施形態における有機ＥＬディスプレイ１０は、アクティブマトリクス駆動方式の有機ＥＬディスプレイである。
【００４６】
有機ＥＬディスプレイ１０のコントローラ１１、走査線駆動回路１３及びデータ線駆動回路１４は、それぞれが独立した電子部品によって構成されていてもよい。例えば、コントローラ１１、走査線駆動回路１３及びデータ線駆動回路１４が、各々１チップの半導体集積回路装置によって構成されていてもよい。又、コントローラ１１、走査線駆動回路１３及びデータ線駆動回路１４の全部若しくは一部がプログラマブルなＩＣチップで構成され、その機能がＩＣチップに書き込まれたプログラムによりソフトウェア的に実現されてもよい。
【００４７】
コントローラ１１は、走査線駆動回路１３及びデータ線駆動回路１４を介して表示パネル部１２と電気的に接続されている。コントローラ１１は、走査線駆動回路１３に走査信号を出力するとともに、データ線駆動回路１４にデジタル輝度階調データとしての画像データをそれぞれ出力する。尚、本実施形態では、画像データは６ビットのデジタル信号である。
【００４８】
表示パネル部１２は、図２に示すように、その発光部が有機材料で構成された電流光学素子としての有機ＥＬ素子１６を有する複数の画素回路１５がマトリクス状に配置された構造を有している。
【００４９】
画素回路１５は、その行方向に伸びる複数の走査線Ｙｎ（ｎ＝１〜Ｎ；ｎは整数）を介して走査線駆動回路１３に接続されている。又、各画素回路１５は、その列方向に伸びる複数のデータ線Ｘｍ（ｍ＝１〜Ｍ；ｍは整数）を介してデータ線駆動回路１４に接続されている。
【００５０】
画素回路１５は、前記データ線駆動回路１４から出力されるアナログ駆動信号としてのアナログ出力電流Ｉｍに応じて有機ＥＬ素子１６の輝度階調を制御する。詳述すると、画素回路１５は、前記アナログ出力電流Ｉｍに対応する電流を生成する生成回路（図示略）が設けられている。前記各生成回路は、データ線Ｘｍと接続され、データ線駆動回路１４から出力されたアナログ出力電流Ｉｍに対応した電流を有機ＥＬ素子１６に供給する回路である。そして、有機ＥＬ素子１６は、そのアナログ出力電流Ｉｍに応じて輝度階調が制御される。
【００５１】
走査線駆動回路１３は、コントローラ１１から出力された走査制御信号に基づいて、表示パネル部１２に設けられた複数の走査線Ｙｎのうち、１本の走査線を選択し、その選択された走査線に走査線信号を出力する。
【００５２】
データ線駆動回路１４は、図２に示すように、複数の単一ラインドライバ２０と電源供給部２１とを備えている。各単一ラインドライバ２０は、それぞれの電源線２２を介して電源供給部２１と接続されている。
【００５３】
単一ラインドライバ２０は、図３に示すように、電子回路としての６ビットの電流出力型デジタル・アナログ変換回路２５を備えている。前記電流出力型デジタル・アナログ変換回路２５は、デジタル・アナログ変換部３０と補償回路部４０とから構成されている。デジタル・アナログ変換部３０は、アナログ出力信号線３１ａ〜３１ｆ、選択用トランジスタとしての第１〜６スイッチングトランジスタ３２ａ〜３２ｆ、電流生成用能動素子としての第１〜６電流供給用トランジスタ３３ａ〜３３ｆ及び第１〜６デジタル入力信号線３４ａ〜３４ｆを備えている。
【００５４】
アナログ出力信号線３１ａ〜３１ｆは互いに並列に配列され、アナログ出力端子Ｐに接続されている。アナログ出力端子Ｐは、前記データ線Ｘｍと接続されている。アナログ出力信号線３１ａ〜３１ｆは、それぞれ、第１〜６スイッチングトランジスタ３２ａ〜３２ｆの各ドレインに対応して接続されている。
【００５５】
第１〜６スイッチングトランジスタ３２ａ〜３２ｆは、その各ソースが第１〜６電流供給用トランジスタ３３ａ〜３３ｆの各ドレインに対応して接続されている。又、第１〜６スイッチングトランジスタ３２ａ〜３２ｈは、それぞれその各ゲートに第１〜６デジタル入力信号線３４ａ〜３４ｆが対応して接続されている。第１〜６デジタル入力信号線３４ａ〜３４ｆはコントローラ１１に接続されている。
【００５６】
第１〜６電流供給用トランジスタ３３ａ〜３３ｆは、その各々が１個のトランジスタであって、その各制御用端子としての各ゲートが電圧供給線３５に共有して接続されている。電圧供給線３５は、変圧回路としての補償回路部４０の出力ポートＰｏと接続されている。第１〜６電流供給用トランジスタ３３ａ〜３３ｆは、それぞれ、所定の電流を出力する定電流源として機能するトランジスタであって、全てｎチャネルＦＥＴである。
【００５７】
詳述すると、電流供給用トランジスタ３３ａ〜３３ｆの閾値電圧がほぼ等しくＶｔｈであり、また、それぞれのトランジスタ３３ａ〜３３ｆが飽和領域で動作するとき流れる電流Ｉｎ（ｎ＝ａ，ｂ，・・・，ｆ）は以下のようになる。
【００５８】
Ｉｎ＝（１／２）βｎ（Ｖｏ−Ｖｔｈｎ）２
ここで、βｎ（ｎ＝ａ，ｂ，・・・，ｆ）は第１〜６電流供給用トランジスタ３３ａ〜３３ｆのそれぞれの利得係数である。本実施形態では、各電流供給用トランジスタ３３ａ〜３３ｆの利得係数βａ〜βｆの相対比は、それぞれ、１：２：４：８：１６：３２となるように設定されている。
【００５９】
Ｖｏは、各電流供給用トランジスタ３３ａ〜３３ｆの各ゲートに印加される印加用電圧としての駆動電圧である。電流供給用トランジスタ３３ａ〜３３ｆは、駆動電圧Ｖｏが印加されることでそれぞれの導通状態がオン状態に設定される。前記デジタル・アナログ変換回路２５は１チップ上に形成されたものであって、例えば、電流供給用トランジスタ３３ａ〜３３ｆを互いに隣接位置に配置形成することによって、各電流供給用トランジスタ３３ａ〜３３ｆの閾値電圧Ｖｔｈｎのばらつきを無視することができる程度まで押さえ込むことが可能である。この場合、各閾値電圧Ｖｔｈｎは、電流供給用トランジスタ３３ａ〜３３ｆに関係なくほぼ等しい値となる。尚、本実施形態では、各閾値電圧ＶｔｈｎをＶｔｈ１で示すこととする。
【００６０】
すると、第１〜６電流供給用トランジスタ３３ａ〜３３ｆからそれぞれ出力される電流Ｉｎ（ｎ＝ａ，ｂ，・・・，ｆ）は、以下の関係になる。
Ｉｎ＝（１／２）βｎ（Ｖｏ−Ｖｔｈ１）２
第１〜６スイッチングトランジスタ３２ａ〜３２ｆのオン・オフ制御は、コントローラ１１から出力される６ビットの画像データによって行われる。６ビットの画像データの最下位ビットは第１デジタル入力信号線３４ａを介して利得係数が最も小さな（即ちβの相対値が１の）第１スイッチングトランジスタ３２ａに出力されるようになっている。又、６ビットの画像データの最上位ビットは第６デジタル入力信号線３４ｆを介して利得係数が最も大きな（即ちβの相対値が３２の）第６スイッチングトランジスタ３２ｆに出力されるようになっている。
【００６１】
従って、デジタル・アナログ変換部３０は、コントローラ１１から出力される画像データに対応したアナログ出力電流Ｉｍを有する駆動信号をアナログ出力端子Ｐから出力する。そして、アナログ出力端子Ｐから出力されたアナログ出力電流Ｉｍは、データ線Ｘｍを介して前記画素回路１５に供給される。
【００６２】
補償回路部４０は、図３に示すように、補償用トランジスタとしての昇圧用トランジスタＴｃ、スイッチＳ及び電圧安定化手段としてのコンデンサＣから構成されている。昇圧用トランジスタＴｃは、ｎチャネルＦＥＴであって、前記第１〜６電流供給用トランジスタ３３ａ〜３３ｆに隣接位置に配置形成されている。昇圧用トランジスタＴｃのソースは、前記電源線２２と接続された入力ポートＰｉに接続され、電源供給部２１から供給された基準電圧Ｖｒｅｆが印加されるようになっている。
【００６３】
昇圧用トランジスタＴｃのドレインは、そのゲートと接続されている。昇圧用トランジスタＴｃのドレインは、出力ポートＰｏを介して前記第１〜６電流供給用トランジスタ３３ａ〜３３ｆのゲートと共有して接続された電圧供給線３５と接続されている。又、昇圧用トランジスタＴｃのドレインと出力ポートＰｏとの間には、コンデンサＣが接地に対して並列に接続している。このコンデンサＣは、昇圧用トランジスタＴｃによって昇圧された駆動電圧Ｖｏを出力ポートＰｏに安定して供給させるための電圧安定化手段として機能するコンデンサであり、原理上の必須要素ではない。
【００６４】
昇圧用トランジスタＴｃのゲートは、スイッチＳを介して初期セット電源Ｖｄｄに接続されている。ここで、スイッチＳ及び初期セット電源Ｖｄｄは初期化手段として機能し、昇圧用トランジスタＴｃの閾値電圧がＶｔｈｃのときに、昇圧用トランジスタＴｃをオンさせるため、Ｖｄｄ≧Ｖｒｅｆ＋Ｖｔｈｃに設定する。スイッチＳの初期状態はオフ状態である。スイッチＳは、所定のタイミングで、一定期間オン状態になることで、昇圧用トランジスタＴｃのオン制御を行うようになっている。
【００６５】
このように構成された補償回路部４０において、電源供給部２１から電源線２２を介して入力ポートＰｉに基準電圧Ｖｒｅｆが供給されるとともに、前記スイッチＳがオン状態となると、昇圧用トランジスタＴｃがオン状態となる。そして、昇圧用トランジスタＴｃのドレインには、入力ポートＰｉを介して供給された基準電圧Ｖｒｅｆに加えて昇圧用トランジスタＴｃの閾値電圧Ｖｔｈｃ分昇圧された駆動電圧Ｖｏが発生する。つまり、昇圧用トランジスタＴｃのドレインに発生する駆動電圧ＶｏはＶｏ＝Ｖｒｅｆ＋Ｖｔｈｃで表される。この駆動電圧Ｖｏは、コンデンサＣを介して出力ポートＰｏに出力される。そして、電流供給用トランジスタ３３ａ〜３３ｆのそれぞれに流れる電流Ｉｎは、次式のようになる。
【００６６】
Ｉｎ＝（１／２）βｎ（Ｖｏ−Ｖｔｈ１）２＝（１／２）βｎ（Ｖｒｅｆ＋Ｖｔｈｃ−Ｖｔｈ１）２
ここで、前記昇圧用トランジスタＴｃを第１〜６電流供給用トランジスタ３３ａ〜３３ｆの隣接位置に配置形成するなどして、昇圧用トランジスタＴｃの閾値電圧Ｖｔｈｃが第１〜６電流供給用トランジスタ３３ａ〜３３ｆの閾値電圧Ｖｔｈ１とほぼ等しい値となるように制御しておく。これにより、Ｖｔｈｃ＝Ｖｔｈ１となる。この結果、電流供給用トランジスタ３３ａ〜３３ｆのそれぞれに流れる電流Ｉｎは次式のようになる。
【００６７】
Ｉｎ＝（１／２）βｎ（Ｖｒｅｆ）２となる。
このことより、第１〜６電流供給用トランジスタ３３ａ〜３３ｆを流れる電流Ｉｎは、その各閾値電圧Ｖｔｈ１に依存しないことになる。その結果、各単一ラインドライバ２０から出力されるアナログ出力電流Ｉｍは、同一の画像データに基づいたものであっても、各単一ラインドライバ２０の形成位置によって異なることはない。つまり、画素回路１５毎にその有機ＥＬ素子１６の輝度階調の特性が変化することはない。その結果、表示品位が良い電気光学装置及び電子機器を提供することができる。
【００６８】
上記実施形態の電子回路及び電気光学装置によれば、以下のような特徴を得ることができる。
（１）本実施形態では、各単一ラインドライバ２０において、第１〜６電流供給用トランジスタ３３ａ〜３３ｆの閾値電圧Ｖｔｈ１を昇圧する昇圧用トランジスタＴｃを備えた補償回路部４０を同電流供給用トランジスタ３３ａ〜３３ｆのゲートに接続した。このようにすることによって、電流供給用トランジスタ３３ａ〜３３ｆの各ゲートに印加される駆動電圧Ｖｏは基準電圧Ｖｒｅｆとなる。従って、電流供給用トランジスタ３３ａ〜３３ｆを流れる電流Ｉｎは、その各閾値電圧Ｖｔｈに依存しない。その結果、画素回路１５毎にその有機ＥＬ素子１６の輝度階調の特性が変化することはない。従って、表示品位が良い電気光学装置及び電子機器を提供することができる。
【００６９】
（２）本実施形態では、各単一ラインドライバ２０において、第１〜６電流供給用トランジスタ３３ａ〜３３ｆの隣接位置に昇圧用トランジスタＴｃを配置形成した。従って、第１〜６電流供給用トランジスタ３３ａ〜３３ｆの閾値電圧Ｖｔｈとほぼ等しい値を有する電圧を昇圧する昇圧用トランジスタＴｃを容易に形成することができる。
【００７０】
（３）本実施形態では、昇圧用トランジスタＴｃのドレインと出力ポートＰｏとの間にコンデンサＣを接地に対して並列して接続した。従って、昇圧用トランジスタＴｃによって昇圧された駆動電圧Ｖｏを第１〜６電流供給用トランジスタ３３ａ〜３３ｆのゲートに安定して供給することができる。その結果、表示品位をより良くすることができる。
（第２実施形態）
次に、第１実施形態で説明した電気光学装置としての有機ＥＬディスプレイ１０の電子機器の適用について図４及び図５に従って説明する。有機ＥＬディスプレイ１０は、モバイル型のパーソナルコンピュータ、携帯電話、デジタルカメラ等種々の電子機器に適用できる。
【００７１】
図４は、モバイル型パーソナルコンピュータの構成を示す斜視図を示す。図４において、パーソナルコンピュータ５０は、キーボード５１を備え本体部５２と、前記有機ＥＬディスプレイ１０を用いた表示ユニット５３を備えている。この場合でも、有機ＥＬディスプレイ１０を用いた表示ユニット５３は前記実施形態と同様な効果を発揮する。この結果、輝度階調が優れた表示ユニット５３を有したモバイル型パーソナルコンピュータ５０を提供することができる。
【００７２】
図５は、携帯電話の構成を示す斜視図を示す。図５において、携帯電話６０は、複数の操作ボタン６１、受話口６２、送話口６３、前記有機ＥＬディスプレイ１０を用いた表示ユニット６４を備えている。この場合でも、有機ＥＬディスプレイ１０を用いた表示ユニット６４は前記実施形態と同様な効果を発揮する。この結果、輝度階調が優れた表示ユニット６４を有した携帯電話６０を提供することができる。
【００７３】
尚、発明の実施形態は、上記実施形態に限定されるものではなく、以下のように実施してもよい。
○上記実施形態では、各電流生成用能動素子を１個の電流供給用トランジスタ３３ａ〜３３ｆで構成した。これを、利得係数β及び閾値電圧がほぼ等しい複数個の単位トランジスタＱｐを互いに並列接続することで１個の電流生成用能動素子を構成するようにしてもよい。そして、このとき、前記複数の単位トランジスタで構成された電流生成用能動素子の利得係数の比が１：２：４：８：１６：３２となるようにする。更に、前記単位トランジスタＱｐで昇圧用トランジスタＴｃを構成するようにする。
【００７４】
たとえば、上記第１実施形態における第２電流供給用トランジスタ３３ｂに対応する電流生成用能動素子３３ｂＡを、図６に示すように、２個の単位トランジスタＱｐを並列接続することで構成する。同様に、第３電流供給用トランジスタ３３ｃに対応する電流生成用能動素子３３ｃＡを、図７に示すように、４個の前記単位トランジスタＱｐをそれぞれ並列接続することで構成する。同様に、第４電流供給用トランジスタ３３ｄに対応する電流生成用能動素子３３ｄＡを、図８に示すように、８個の前記トランジスタＱｐをそれぞれ並列接続することで構成する。同様に、第５電流供給用トランジスタ３３ｅに対応する電流生成用能動素子３３ｅＡを、図９に示すように、１６個の前記トランジスタＱｐをそれぞれ並列接続することで構成する。同様に、第６電流供給用トランジスタ３３ｆに対応する電流生成用能動素子３３ｆＡを、図１０に示すように、３２個の前記トランジスタＱｐをそれぞれ並列接続することで構成する。このように各電流生成用能動素子３３ｂＡ〜３３ｆＡを構成することで、各電流生成用能動素子３３ｂＡ〜３３ｅＡの利得係数の比を１：２：４：８：１６：３２に設定することができる。
【００７５】
そして、前記した電流生成用能動素子３３ｂＡ〜３３ｆＡをそれぞれ互いに接続するとともに、前記単位トランジスタＱｐで昇圧用トランジスタＴｃを構成する。従って、昇圧用トランジスタＴｃを容易に構成することができる。
【００７６】
○上記実施形態では、各電流生成用能動素子を１個の電流供給用トランジスタ３３ａ〜３３ｆで構成した。これを、利得係数β及び閾値電圧がほぼ等しい複数個の単位トランジスタＱｓを互いに直列接続することで１個の電流生成用能動素子を構成するようにしてもよい。そして、このとき、前記複数の単位トランジスタで構成された電流生成用能動素子の利得係数の比が１：２：４：８：１６：３２となるようにする。更に、前記単位トランジスタＱｓで昇圧用トランジスタＴｃを構成するようにする。
【００７７】
たとえば、上記第１実施形態における第１電流供給用トランジスタ３３ａに対応する電流生成用能動素子３３ａＢを、図１１に示すように、３２個の単位トランジスタＱｓをそれぞれ直列接続することで構成する。同様に、第２電流供給用トランジスタ３３ｂに対応する電流生成用能動素子３３ｂＢを、図１２に示すように、１６個の前記単位トランジスタＱｓをそれぞれ直列接続することで構成する。同様に、第３電流供給用トランジスタ３３ｃに対応する電流生成用能動素子３３ｃＢを、図１３に示すように、８個の前記単位トランジスタＱｓをそれぞれ直列接続することで構成する。同様に、第４電流供給用トランジスタ３３ｄに対応する電流生成用能動素子３３ｄＢを、図１４に示すように、４個の前記単位トランジスタＱｓをそれぞれ互いに直列接続することで構成する。同様に、第５電流供給用トランジスタ３３ｅに対応する電流生成用能動素子３３ｅＢを、図１５に示すように、２個の前記トランジスタＱｓをそれぞれ直列接続することで構成する。このように各電流生成用能動素子３３ａＢ〜３３ｅＢを構成することで、各電流生成用能動素子３３ａＢ〜３３ｅＢの利得係数の比を１：２：４：８：１６：３２に設定することができる。
【００７８】
そして、前記した電流生成用能動素子３３ｂＡ〜３３ｆＡをそれぞれ互いに接続するとともに、昇圧用トランジスタＴｃを前記単位トランジスタＱｐで構成する。従って、昇圧用トランジスタＴｃを容易に構成することができる。
【００７９】
○上記実施形態では、補償回路部４０にてコンデンサＣを接続したが、このコンデンサＣを接続しない補償回路を使用してもよい。このようにすることによって、補償回路部４０の回路構成を簡単にすることができるため、補償回路部４０を作製するコストを低減させることができる。
【００８０】
○上記実施形態では、第１〜６電流供給用トランジスタ３３ａ〜３３ｆは、全てｎチャネルＦＥＴであったが、これに限定されるものではなく、ｐチャネルＦＥＴであってもよい。このとき、昇圧用トランジスタＴｃは、基準電圧Ｖｒｅｆから第１〜６電流供給用トランジスタ３３ａ〜３３ｆの閾値電圧Ｖｔｈｎ（ｎ＝ａ，ｂ，・・・，ｆ）分の電圧を減した電圧値を駆動電圧Ｖｏとして出力するようにする。このようにすることで、上記実施形態と同様な効果を得ることができる。
【００８１】
○上記実施形態では、電流駆動素子として有機ＥＬ素子１６を用いたが、これを他の電流駆動素子に適応してもよい。例えば、ＬＥＤやＦＥＤ等の発光素子のような電流駆動素子に適応してもよい。
【００８２】
○上記実施形態では、電気光学装置として、有機ＥＬ素子１６を有する画素回路１５を用いた有機ＥＬディスプレイ１０に適応したが、これを、発光層が無機材料で構成された無機ＥＬ素子を有する画素回路を用いたディスプレイに適応してもよい。
【図面の簡単な説明】
【図１】本実施形態の有機ＥＬディスプレイの回路構成を示すブロック回路図である。
【図２】表示パネル部及びデータ線駆動回路の内部回路構成を示すブロック回路図である。
【図３】単一ラインドライバの内部回路構成を示すブロック図である。
【図４】第２実施形態を説明するためのモバイル型パーソナルコンピュータの構成を示す斜視図である。
【図５】第２実施形態を説明するための携帯電話の構成を示す斜視図である。
【図６】別例に記載の単位トランジスタＱｐを並列接続することで構成した第２電流供給用トランジスタ３３ｂの回路構成図である。
【図７】別例に記載の単位トランジスタＱｐを並列接続することで構成した第３電流供給用トランジスタ３３ｃの回路構成図である。
【図８】別例に記載の単位トランジスタＱｐを並列接続することで構成した第４電流供給用トランジスタ３３ｄの回路構成図である。
【図９】別例に記載の単位トランジスタＱｐを並列接続することで構成した第５電流供給用トランジスタ３３ｅの回路構成図である。
【図１０】別例に記載の単位トランジスタＱｐを並列接続することで構成した第６電流供給用トランジスタ３３ｆの回路構成図である。
【図１１】別例に記載の単位トランジスタＱｓを直列接続することで構成した第１電流供給用トランジスタ３３ａの回路構成図である。
【図１２】別例に記載の単位トランジスタＱｓを直列接続することで構成した第２電流供給用トランジスタ３３ｂの回路構成図である。
【図１３】別例に記載の単位トランジスタＱｓを直列接続することで構成した第３電流供給用トランジスタ３３ｃの回路構成図である。
【図１４】別例に記載の単位トランジスタＱｓを直列接続することで構成した第４電流供給用トランジスタ３３ｄの回路構成図である。
【図１５】別例に記載の単位トランジスタＱｓを直列接続することで構成した第５電流供給用トランジスタ３３ｅの回路構成図である。
【図１６】従来の電気光学装置で使用されるデータ線駆動回路の構造を説明するための回路構成図である。
【図１７】従来の電気光学装置で使用されるデジタル・アナログ変換回路の回路図である。
【符号の説明】
Ｃ　電圧安定化手段としてのコンデンサ
Ｉｍ　アナログ駆動信号としてのアナログ出力電流
Ｓ　初期化手段としてのスイッチ
Ｔｃ　補償用トランジスタとしての昇圧用トランジスタ
Ｖｏ　印加用電圧としての駆動電圧
Ｖｒｅｆ　基準電圧
１０　電気光学装置としての有機ＥＬディスプレイ
１１　制御回路としてのコントローラ
１５　画素回路
１６　電気光学素子
２５　電子回路及び駆動回路としての電流出力型デジタル・アナログ変換回路
３１ａ〜３１ｆ　選択用トランジスタとしての第１スイッチングトランジスタ
３３ａ〜３３ｆ　電流生成用能動素子としての第１〜６電流供給用トランジスタ
４０　変換回路としての補償回路部
５０，６０　電子機器
【図１】
2004088158.tif 000003
【図２】
2004088158.tif 000004
【図３】
2004088158.tif 000005
【図４】
2004088158.tif 000006
【図５】
2004088158.tif 000007
【図６】
2004088158.tif 000008
【図７】
2004088158.tif 000009
【図８】
2004088158.tif 000010
【図９】
2004088158.tif 000011
【図１０】
2004088158.tif 000012
【図１１】
2004088158.tif 000013
【図１２】
2004088158.tif 000014
【図１３】
2004088158.tif 000015
【図１４】
2004088158.tif 000016
【図１５】
2004088158.tif 000017
【図１６】
2004088158.tif 000018
【図１７】
2004088158.tif 000019